(57)【要約】      （修正有）【課題】  表示面積もしくは発光色が互いに異なる各アイコンを構成するＥＬ素子を、例えば汎用のドライバＩＣを利用して発光駆動できるように構成すると共に、定期的に逆バイアス電圧を印加することができるように構成する。【解決手段】  アイコンを構成する各ＥＬ素子Ｅ1 〜Ｅ4 に対応して電流調整抵抗Ｒ101 〜Ｒ104 が並列に接続されており、電流調整抵抗Ｒ101 〜Ｒ104 の抵抗値を適宜選定することで、各ＥＬ素子Ｅ1 〜Ｅ4 の発光輝度を適正に調整することができる。各ＥＬ素子Ｅ1 〜Ｅ4 が全て消灯される全消灯期間においては、アナログスイッチＳ201 がオフになされ、アナログスイッチＳ202 がオンになされる。これにより全てのＥＬ素子Ｅ1 〜Ｅ4 のアノード側はグランド電位になされ、全てのＥＬ素子Ｅ1 〜Ｅ4 に対して逆バイアス電圧を印加される。この逆バイアス電圧の定期的な印加によりＥＬ素子Ｅ1 〜Ｅ4 の発光寿命を延ばすことができる。【選択図】  図２２
2005266397.tif 000002
【特許請求の範囲】
【請求項１】
第１の電位点と、前記第１の電位点よりも電位が低い第２の電位点との間に、発光素子と、定電流源と、発光制御スイッチとが、
（１）前記発光素子、前記定電流源、前記発光制御スイッチ
（２）前記発光素子、前記発光制御スイッチ、前記定電流源
（３）前記定電流源、前記発光素子、前記発光制御スイッチ
のうちのいずれか１つに示す順序をもって直列に接続された構成を備えた発光素子の駆動装置であって、
前記発光素子に流れる電流値を調整するために少なくても１つの電流調整抵抗が、前記発光素子と並列に接続されていることを特徴とする発光素子の駆動装置。
【請求項２】
前記発光素子は、ダイオード特性を有していると共に、前記発光素子のアノード側が、前記第１の電位点よりも低い電位の第３の電位点に切り換え接続されるように、前記発光素子のアノード側に逆バイアス印加スイッチを設けたことを特徴とする請求項１に記載の発光素子の駆動装置。
【請求項３】
前記第３の電位点における電位は、前記第１の電位点における電位と、第２の電位点における電位から生成されるように構成したことを特徴とする請求項２に記載の発光素子の駆動装置。
【請求項４】
前記第３の電位点における電位は、前記第１の電位点と第２の電位点との間に直列接続された抵抗とツェナダイオードの接続点において得るように構成したことを特徴とする請求項３に記載の発光素子の駆動装置。
【請求項５】
前記第３の電位点における電位と、第２の電位点における電位とが等しいことを特徴とする請求項２に記載の発光素子の駆動装置。
【請求項６】
第１の電位点と、前記第１の電位点よりも電位が低い第２の電位点との間に、発光素子と、定電流源と、発光制御スイッチとが、
（４）前記発光制御スイッチ、前記発光素子、前記定電流源
（５）前記発光制御スイッチ、前記定電流源、前記発光素子
（６）前記定電流源、前記発光制御スイッチ、前記発光素子
のうちのいずれか１つに示す順序をもって直列に接続された構成を備えた発光素子の駆動装置であって、
前記発光素子に流れる電流値を調整するために少なくても１つの電流調整抵抗が、前記発光素子と並列に接続されていることを特徴とする発光素子の駆動装置。
【請求項７】
前記発光素子は、ダイオード特性を有していると共に、前記発光素子のカソード側が、前記第２の電位点よりも高い電位の第４の電位点に切り換え接続されるように、前記発光素子のカソード側に逆バイアス印加スイッチを設けたことを特徴とする請求項６に記載の発光素子の駆動装置。
【請求項８】
前記第４の電位点における電位は、前記第１の電位点における電位と、第２の電位点における電位から生成されるように構成したことを特徴とする請求項７に記載の発光素子の駆動装置。
【請求項９】
前記第４の電位点における電位は、前記第１の電位点と第２の電位点との間に直列接続された抵抗とツェナダイオードの接続点において得るように構成したことを特徴とする請求項８に記載の発光素子の駆動装置。
【請求項１０】
前記第４の電位点における電位と、第１の電位点における電位とが等しいことを特徴とする請求項７に記載の発光素子の駆動装置。
【請求項１１】
前記第１の電位点と、第２の電位点との電位差が、前記発光素子の発光閾値電圧よりも大きく設定されていることを特徴とする請求項１ないし請求項１０のいずれか１項に記載の発光素子の駆動装置。
【請求項１２】
１つの表示パネル上に発光面積もしくは発光色が異なる複数の前記発光素子を含み、それぞれの発光素子の点灯および消灯動作に対応して、前記電流調整抵抗の接続の組み合わせを変更する少なくても１つの抵抗値切り換えスイッチを備えたことを特徴とする請求項１ないし請求項１１のいずれか１項に記載の発光素子の駆動装置。
【請求項１３】
１つの表示パネル上に発光面積もしくは発光色が異なる複数の前記発光素子を含み、それぞれの発光素子に対応した電流調整抵抗を備えたことを特徴とする請求項１ないし請求項１１のいずれか１項に記載の発光素子の駆動装置。
【請求項１４】
前記発光素子が少なくても１つの有機発光層を備えた有機ＥＬ素子であることを特徴とする請求項１ないし請求項１３のいずれか１項に記載の発光素子の駆動装置。
【請求項１５】
第１の電位点と、前記第１の電位点よりも電位が低い第２の電位点との間に、発光素子と、定電流源と、発光制御スイッチとが、
（１）前記発光素子、前記定電流源、前記発光制御スイッチ
（２）前記発光素子、前記発光制御スイッチ、前記定電流源
（３）前記定電流源、前記発光素子、前記発光制御スイッチ
のうちのいずれか１つに示す順序をもって直列に接続された構成を備えた発光素子の駆動方法であって、
前記発光素子に対して並列に接続される電流調整抵抗の抵抗値を選択することで、前記発光素子に対して与える発光駆動電流を調整することを特徴とする発光素子の駆動方法。
【請求項１６】
前記発光制御スイッチがオフ制御された発光素子の非点灯状態において、ダイオード特性を有する前記発光素子のアノード側を前記第１の電位点よりも電位の低い第３の電位点に切り換え接続することで、前記発光素子に対して逆バイアス電圧を印加させることを特徴とする請求項１５に記載の発光素子の駆動方法。
【請求項１７】
第１の電位点と、前記第１の電位点よりも電位が低い第２の電位点との間に、発光素子と、定電流源と、発光制御スイッチとが、
（４）前記発光制御スイッチ、前記発光素子、前記定電流源
（５）前記発光制御スイッチ、前記定電流源、前記発光素子
（６）前記定電流源、前記発光制御スイッチ、前記発光素子
のうちのいずれか１つに示す順序をもって直列に接続された構成を備えた発光素子の駆動方法であって、
前記発光素子に対して並列に接続される電流調整抵抗の抵抗値を選択することで、前記発光素子に対して与える発光駆動電流を調整することを特徴とする発光素子の駆動方法。
【請求項１８】
前記発光制御スイッチがオフ制御された発光素子の非点灯状態において、ダイオード特性を有する前記発光素子のカソード側を前記第２の電位点よりも電位が高い第４の電位点に切り換え接続することで、前記発光素子に対して逆バイアス電圧を印加させることを特徴とする請求項１７に記載の発光素子の駆動方法。
【発明の詳細な説明】
【技術分野】
【０００１】
この発明は、電流駆動型の発光素子を用いた発光素子の駆動装置に関し、特に定電流源と電流調整抵抗との組み合わせにより、前記発光素子を個々に点灯駆動するように構成した駆動装置および駆動方法に関する。
【背景技術】
【０００２】
携帯電話機や携帯型情報端末機（ＰＤＡ）などの普及によって、高精細な画像表示機能を有し、薄型かつ低消費電力を実現することができる表示パネルの需要が増大しており、従来より液晶表示パネルがその要求を満たす表示パネルとして多くの製品に採用されてきた。一方、昨今においては自発光型表示素子であるという特質を生かした有機ＥＬ（エレクトロルミネッセンス）素子も前記したような一部の製品に採用され、これが従来の液晶表示パネルに代わる次世代の表示パネルとして注目されている。これは、有機ＥＬ素子の発光層に、良好な発光特性を期待することができる有機化合物を使用することによって、実用に耐えうる高効率化および長寿命化が進んだことも背景にある。
【０００３】
前記した有機ＥＬ素子は、基本的には透明基板上に、例えばＩＴＯによる透明電極と有機ＥＬ媒体と金属電極とが順次積層されて構成される。そして、前記有機ＥＬ媒体は、有機発光層の単一層、あるいは有機正孔輸送層と有機発光層からなる二層構造の媒体、または有機正孔輸送層と有機発光層および有機電子輸送層からなる三層構造の媒体、さらにこれらの適切な層間に電子もしくは正孔の注入層を挿入した多層構造の媒体になされる場合もある。
【０００４】
前記した有機ＥＬ素子は、電気的にはダイオード特性を有する発光エレメントと、この発光エレメントに並列に結合する寄生容量成分とによる構成に置き換えることができ、有機ＥＬ素子は容量性の発光素子であると言える。この有機ＥＬ素子は発光駆動電圧が印加されると、先ず、当該素子の電気容量に想到する電荷が電極に変位電流として流れ込み蓄積される。続いて当該素子固有の一定の電圧（発光閾値電圧＝Ｖth）が超えると、一方の電極（ダイオード成分のアノード電極側）から発光層を構成する有機層に電流が流れ始め、この電流に比例した強度で発光すると考えることができる。
【０００５】
かかる有機ＥＬ素子（以下、これを単にＥＬ素子とも呼ぶ。）を用いた表示パネルとしては、ドライブ線と走査線の交点位置に、ほぼ同一の発光面積を有するＥＬ素子をそれぞれ配列したドットマトリクス構成のパネルが提供されており、これによると、ドットの点灯パターンにより多種多様の文字および画像等を表現することができる。一方、前記した携帯電話機やＰＤＡなどにおいては、表示パネルの一部にバッテリーの残存電力、受信信号強度、その他の着信表示などの特定な表示パターンを表示させる必要がある。
【０００６】
これらの特定パターンの表示は、前記したドットマトリクスを利用せずに、ＩＴＯによる透明電極を前記表示パターンに対応させて形成したアイコンパターンを利用して表示させるようになされる。この様なアイコンパターンを形成した場合においては、前記したドットマトリクスによる表示よりも解像度を向上させることができる。なお、前記した有機ＥＬ素子を表示素子として利用し、１つのパネル面にドットマトリクス領域およびアイコンパターンの領域を形成した表示パネルの構成については、本件出願人においてすでに出願した特許文献１に開示されている。
【特許文献１】特開２００２−４３０５３号公報
【発明の開示】
【発明が解決しようとする課題】
【０００７】
図１は、前記したアイコンパターンを形成した表示パネルの例と、これらアイコンパターンの各々に、発光駆動電力を供給するドライバの機能を模式的に示したものである。符号１は表示パネルを示しており、この表示パネル１には例えばバッテリーの残存電力、受信信号強度等を表示するアイコンパターンが形成されている。これらのアイコンパターンは、前記したとおりＩＴＯによる透明電極をアイコンの表示パターンに対応させて形成されている。
【０００８】
すなわち、図１における左側には４つの島からなるバッテリーの残存電力を示すアイコンパターンが形成され、図１に示す状態においてはアイコンパターンにハッチングを入れて示しているようにバッテリーの残存電力が２段階の状態であることを示している。またその右にはアンテナを示すアイコンパターンが、点灯状態になされていることが示されており、さらにその右には縦方向に異なった長さのアイコンパターンが配列されている。これは受信信号強度を示すアイコンパターンを示しており、図１に示す状態は３段階で示される受信信号強度が最大の状態を示している。
【０００９】
前記した各アイコンパターンのそれぞれに対しては、表示パネル１上に同じくＩＴＯにより形成されたデータ線（図中細線で示す）を介して点灯駆動電力が個々に供給されるように構成されている。また、表示パネル１上には共通走査線（図中鎖線で示す）が配列され、この共通走査線を介して各アイコンパターンの背面電極（前記した金属電極）同士が接続されている。
【００１０】
符号２は前記した表示パネル１の端部において、前記したデータ線および共通走査線に対して、それぞれリード電極が例えば異方性導電膜（ＡＣＦ）を介して接続されたフレキシブル回路基板（ＦＰＣ）を示しており、このフレキシブル回路基板２の他端部は符号３で示すドライバＩＣに接続されている。前記ドライバＩＣ３は、データ側ドライバ３ａと走査側ドライバ３ｂに別けられており、データ側ドライバ３ａにおいては表示パネル１上のアイコンパターンの面積に応じて、それぞれに必要な電流が供給し得るように構成されている。
【００１１】
すなわち、前記したアイコンパターンはマトリクス状に配列されたドットパターンに比較すると、その単位面積が非常に大きく、またパターンに応じてその面積も相当に異なる。さらにアイコンを構成する有機ＥＬ素子の発光色も互いに異なる場合があり、これによりその発光効率も相違するために、各アイコンを点灯駆動するに必要な駆動電流値は各々において大きな相違が発生する。
【００１２】
図２には、前記した実情から１つの定電流源を単位として、これを必要に応じて２つまたは３つ組み合わせることにより、各アイコンを点灯駆動するに必要な電流値を得るようにした例が示されている。図２において、符号１は図１に対応して示したとおり表示パネルを示しており、Ｅ1 〜Ｅ11はこの表示パネル１上に配列された１つごとのアイコンパターンを示している。例えばＥ1 ，Ｅ2 ，Ｅ3 ，……は、図１に示した前記バッテリーの残存電力を示す各アイコンパターンを想定しており、Ｅ5 は前記したアンテナの形状を示すアイコンパターンを想定し、さらにＥ11は三日月模様のアイコンパターンを想定している。
【００１３】
これらの各アイコンＥ1 〜Ｅ11には、データ側ドライバ３ａにおける各ドライブスイッチＳa1〜Ｓa11 および走査側ドライバ３ｂにおける走査スイッチＳk1を介して、定電流源からそれぞれに駆動電流が供給されるように作用する。この場合、前記したバッテリーの残存電力を示す各アイコンＥ1 ，Ｅ2 ，Ｅ3 ，……には、それぞれ各１つの定電流源Ｉ1 ，Ｉ2 ，Ｉ3 ，……から独立して各駆動電流が供給されるように構成されている。また前記したアンテナの形状を示すアイコンＥ5 はその発光面積が大きいので、２つの定電流源Ｉ5 ，Ｉ6 からの電流が供給されるように構成されている。さらに前記した三日月模様のアイコンＥ11は最も発光面積が大きいので、３つの定電流源Ｉ16〜Ｉ18からの電流が供給されるように構成されている。
【００１４】
この場合、例えばバッテリーの残存電力を示す例えばアイコンＥ1 とＥ2 は、共に矩形状で同一面積になされているにもかかわらず、アイコンの発光色が異なるために、例えば１フレーム期間における駆動電流の供給時間を制御することで、発光輝度を実質的に揃えるなどの工夫がなされる。また同様に各アイコンの面積比に応じて、駆動電流の供給時間を適宜制御する工夫がなされる。この様な時間階調を施す様子を、図１におけるデータ側ドライバ３ａにおける各定電流源を示す白抜き部分の長さで模式的に示している。換言すれば、ハッチング部分は各定電流源からの駆動電流の非供給時間（電流遮断期間）を示している。
【００１５】
以上のように、前記したようなアイコンパターンをそれぞれ適切な輝度でバランスよく点灯駆動するためには、前記したように定電流源の数を１個分、好ましくは０．５個分程度の単位で計算し、また定電流源からの電流供給時間（点灯時間率）も調整する必要がある。さらに多段階のディマー制御をアイコン全体の点灯時間で実現させようとした場合には、各アイコンの点灯時間をさらに細かく分割しなければならず、非常に複雑な制御となる。
【００１６】
このような定電流源の適切な配分は、ドライバＩＣ中のレジスタの設定等で行なうのが普通である。そして発光モジュールが搭載される製品が異なればアイコンパターンが異なるのも通常であり、その製品ごとにカスタム（専用）のドライバＩＣが必要となる。したがって、発光モジュールごとにそれぞれドライバとしてのカスタムＩＣを起こすことは、直ちにコストアップを招来させることとなる。
【００１７】
一方、前記した有機ＥＬ素子においては発光動作に寄与しない逆方向電圧（逆バイアス電圧）を逐次印加することで、ＥＬ素子の発光寿命を延ばすことができることが知られており、この点については、例えば特開平１１−８０６４号公報等に開示されている。
【００１８】
この発明は、前記したように各発光モジュールに対応して、それぞれカスタムＩＣを必要とする従来の問題点に着目してなされたものであり、例えば汎用のドライバＩＣを利用して、これに若干の工夫を加えることで各アイコンに対応した適切な駆動電流を供給し得る駆動装置および駆動方法を提供することを第１の課題とするものである。
【００１９】
加えて、この発明は前記各アイコンの非発光期間において、効果的に逆バイアス電圧を印加することができるように構成し、これにより素子の発光寿命を延ばすことができる駆動装置および駆動方法を提供することを第２の課題とするものである。
【課題を解決するための手段】
【００２０】
前記した第１の課題を解決するためになされたこの発明にかかる発光素子の駆動装置における一つの形態は、請求項１に記載のとおり、
第１の電位点と、前記第１の電位点よりも電位が低い第２の電位点との間に、発光素子と、定電流源と、発光制御スイッチとが、
（１）前記発光素子、前記定電流源、前記発光制御スイッチ
（２）前記発光素子、前記発光制御スイッチ、前記定電流源
（３）前記定電流源、前記発光素子、前記発光制御スイッチ
のうちのいずれか１つに示す順序をもって直列に接続された構成を備えた発光素子の駆動装置であって、前記発光素子に流れる電流値を調整するために少なくても１つの電流調整抵抗が、前記発光素子と並列に接続された構成になされる。
【００２１】
そして、前記した構成において、前記第２の課題を解決するためになされたこの発明にかかる駆動装置は、請求項２に記載のとおり、
前記発光素子がダイオード特性を有していると共に、前記発光素子のアノード側が、前記第１の電位点よりも低い電位の第３の電位点に切り換え接続されるように、前記発光素子のアノード側に逆バイアス印加スイッチを設けた構成になされる。
【００２２】
また、前記した第１の課題を解決するためになされたこの発明にかかる発光素子の駆動装置における他の一つの形態は、請求項６に記載のとおり、
第１の電位点と、前記第１の電位点よりも電位が低い第２の電位点との間に、発光素子と、定電流源と、発光制御スイッチとが、
（４）前記発光制御スイッチ、前記発光素子、前記定電流源
（５）前記発光制御スイッチ、前記定電流源、前記発光素子
（６）前記定電流源、前記発光制御スイッチ、前記発光素子
のうちのいずれか１つに示す順序をもって直列に接続された構成を備えた発光素子の駆動装置であって、前記発光素子に流れる電流値を調整するために少なくても１つの電流調整抵抗が、前記発光素子と並列に接続された構成になされる。
【００２３】
そして、前記した構成において、前記第２の課題を解決するためになされたこの発明にかかる駆動装置は、請求項７に記載のとおり、
前記発光素子がダイオード特性を有していると共に、前記発光素子のカソード側が、前記第２の電位点よりも高い電位の第４の電位点に切り換え接続されるように、前記発光素子のカソード側に逆バイアス印加スイッチを設けた構成になされる。
【００２４】
また、前記した第１の課題を解決するためになされたこの発明にかかる発光素子の駆動方法における一つの態様は、請求項１５に記載のとおり、
第１の電位点と、前記第１の電位点よりも電位が低い第２の電位点との間に、発光素子と、定電流源と、発光制御スイッチとが、
（１）前記発光素子、前記定電流源、前記発光制御スイッチ
（２）前記発光素子、前記発光制御スイッチ、前記定電流源
（３）前記定電流源、前記発光素子、前記発光制御スイッチ
のうちのいずれか１つに示す順序をもって直列に接続された構成を備えた発光素子の駆動方法であって、前記発光素子に対して並列に接続される電流調整抵抗の抵抗値を選択することで、前記発光素子に対して与える発光駆動電流を調整する点に特徴を有する。
【００２５】
前記した駆動方法を採用し、さらに前記第２の課題を解決するためになされたこの発明にかかる発光素子の駆動方法は、請求項１６に記載のとおり、
前記発光制御スイッチがオフ制御された発光素子の非点灯状態において、ダイオード特性を有する前記発光素子のアノード側を前記第１の電位点よりも電位の低い第３の電位点に切り換え接続することで、前記発光素子に対して逆バイアス電圧を印加させる点に特徴を有する。
【００２６】
さらに、前記した第１の課題を解決するためになされたこの発明にかかる発光素子の駆動方法における他の一つの態様は、請求項１７に記載のとおり、
第１の電位点と、前記第１の電位点よりも電位が低い第２の電位点との間に、発光素子と、定電流源と、発光制御スイッチとが、
（４）前記発光制御スイッチ、前記発光素子、前記定電流源
（５）前記発光制御スイッチ、前記定電流源、前記発光素子
（６）前記定電流源、前記発光制御スイッチ、前記発光素子
のうちのいずれか１つに示す順序をもって直列に接続された構成を備えた発光素子の駆動方法であって、前記発光素子に対して並列に接続される電流調整抵抗の抵抗値を選択することで、前記発光素子に対して与える発光駆動電流を調整する点に特徴を有する。
【００２７】
そして、前記した駆動方法を採用し、さらに前記第２の課題を解決するためになされたこの発明にかかる発光素子の駆動方法は、請求項１８に記載のとおり、
前記発光制御スイッチがオフ制御された発光素子の非点灯状態において、ダイオード特性を有する前記発光素子のカソード側を前記第２の電位点よりも電位が高い第４の電位点に切り換え接続することで、前記発光素子に対して逆バイアス電圧を印加させる点に特徴を有する。
【発明を実施するための最良の形態】
【００２８】
以下、この発明にかかる発光素子の駆動装置について、図に示す実施の形態に基づいて説明する。なお、以下に説明する実施の形態においては、発光駆動される素子として有機ＥＬ素子を用い、これが図１に基づいて説明したアイコンパターンを形成した場合を例にして説明する。また、以下に説明する各図においては、同一機能を果たす部分を同一符号で示しており、したがって重複する説明は適宜省略する。
【００２９】
先ず、図３はこの発明にかかる駆動装置の最も基本的な構成である第１の実施の形態を示したものであり、これは請求項１および請求項１５に示す発明において、特に（１）として示した直列接続構成に対応するものである。すなわち発光素子としてのＥＬ素子Ｅ1 は図１に示したいずれかのアイコンパターンを形成するものであり、このＥＬ素子Ｅ1 のアノード側は第１の電位点Ｖ1 に接続され、このＥＬ素子Ｅ1 のカソード側が定電流源Ｉ1 の電流吸い込み側に接続されると共に、前記定電流源Ｉ1 の電流出力側が発光制御スイッチＳ1 を介して、前記第１の電位点よりも電位が低い第２の電位点Ｖ2 に接続されている。
【００３０】
そして、ＥＬ素子Ｅ1 と並列に電流調整抵抗Ｒ1 が接続されており、この電流調整抵抗Ｒ1 の値を選択することで、ＥＬ素子Ｅ1 に供給する点灯駆動電流が調整されるように構成されている。すなわち、図３に示す状態において第１の電位点Ｖ1 から第２の電位点Ｖ2 に流れる電流は、定電流源Ｉ1 によって定められる。そして、電流調整抵抗Ｒ1 の抵抗値を選択することで、抵抗Ｒ1 に流れる電流値を調整することができ、結果として定電流源Ｉ1 により定められる電流値から、電流調整抵抗Ｒ1 に流れる電流値を差し引いた値の電流がＥＬ素子Ｅ1 に供給される。
【００３１】
ここで、前記した第１の電位点Ｖ1 と第２の電位点Ｖ2 との電位差は、ＥＬ素子Ｅ1 の前記した発光閾値電圧（Ｖth）よりも大きく設定されており、したがって発光制御スイッチＳ1 が図３に示すようにオンされることにより、アイコンパターンを形成するＥＬ素子Ｅ1 を点灯させることができる。なお、図３に示す構成は、１つのアイコンパターンを点灯駆動させる構成を示したものであり、他のアイコンパターンに対しても同様に構成される。
【００３２】
したがって、図３に示す構成を備えた駆動装置によるとアイコンパターンを形成するＥＬ素子Ｅ1 の面積、および発光色に応じた発光効率に基づいて、前記電流調整抵抗Ｒ1 の抵抗値を適宜選択することで、ＥＬ素子Ｅ1 によるアイコンパターンの発光輝度が適正となるように調整することができる。この時、他のアイコンパターンとの発光輝度のバランスも互いに調整することが可能である。
【００３３】
それ故、アイコンパターンを形成する各ＥＬ素子を点灯制御するドライブ用ＩＣとして、各発光モジュールごとにカスタムＩＣを用意することなくドライブ用ＩＣとして汎用のものを利用することができる。また、個々のアイコンの輝度制御を電流調整抵抗によって行なうことができるので、例えばアイコン全体のディマー制御を点灯時間で多段階に行なうに際しても、各アイコンの点灯時間を比較的単純に時分割することで実現させることができる。
【００３４】
図４は、この発明にかかる駆動装置の最も基本的な構成である第２の実施の形態を示したものであり、これは請求項１および請求項１５に示す発明において、特に（２）として示した直列接続構成に対応するものである。すなわち、第１の電位点Ｖ1 と、これよりも電位が低い第２の電位点Ｖ2 との間に、順にＥＬ素子Ｅ1 、発光制御スイッチＳ1 、定電流源Ｉ1 が直列に接続された構成になされている。
【００３５】
そして、前記ＥＬ素子Ｅ1 は図１に示したいずれかのアイコンパターンを形成するものであり、ＥＬ素子Ｅ1 と並列に電流調整抵抗Ｒ1 が接続されて、この電流調整抵抗Ｒ1 の値を選択することで、ＥＬ素子Ｅ1 に供給する点灯駆動電流が調整されるように構成されている。なお、この図４は１つのアイコンパターンを点灯駆動させる構成を示したものであり、他のアイコンパターンに対しても同様に構成される。
【００３６】
前記した図４に示す構成を備えた駆動装置は、図３に示した駆動装置の回路構成と比較すると、第１および第２の電位点Ｖ1 ，Ｖ2 間において直列接続される定電流源Ｉ1 と発光制御スイッチＳ1 接続配置位置が入れ替えられたものである。したがって、この図４に示す実施の形態においても、図３に示した実施の形態と同様の作用効果を得ることができる。
【００３７】
図５は、この発明にかかる駆動装置の最も基本的な構成である第３の実施の形態を示したものであり、これは請求項１および請求項１５に示す発明において、特に（３）として示した直列接続構成に対応するものである。すなわち、第１の電位点Ｖ1 と、これよりも電位が低い第２の電位点Ｖ2 との間に、順に定電流源Ｉ1 、ＥＬ素子Ｅ1 、発光制御スイッチＳ1 が直列に接続された構成になされている。
【００３８】
そして、前記ＥＬ素子Ｅ1 は図１に示したいずれかのアイコンパターンを形成するものであり、ＥＬ素子Ｅ1 と並列に電流調整抵抗Ｒ1 が接続されて、この電流調整抵抗Ｒ1 の値を選択することで、ＥＬ素子Ｅ1 に供給する点灯駆動電流が調整されるように構成されている。なお、この図５は１つのアイコンパターンを点灯駆動させる構成を示したものであり、他のアイコンパターンに対しても同様に構成される。前記した図５に示す構成を備えた駆動装置においても、図３および図４に示した実施の形態と同様の作用効果を得ることができる。
【００３９】
図６は、この発明にかかる駆動装置の最も基本的な構成である第４の実施の形態を示したものであり、これは請求項６および請求項１７に示す発明において、特に（４）として示した直列接続構成に対応するものである。すなわち、第１の電位点Ｖ1 と、これよりも電位が低い第２の電位点Ｖ2 との間に、順に発光制御スイッチＳ1 、ＥＬ素子Ｅ1 、定電流源Ｉ1 が直列に接続された構成になされている。
【００４０】
そして、前記ＥＬ素子Ｅ1 は図１に示したいずれかのアイコンパターンを形成するものであり、ＥＬ素子Ｅ1 と並列に電流調整抵抗Ｒ1 が接続されて、この電流調整抵抗Ｒ1 の値を選択することで、ＥＬ素子Ｅ1 に供給する点灯駆動電流が調整されるように構成されている。なお、この図６は１つのアイコンパターンを点灯駆動させる構成を示したものであり、他のアイコンパターンに対しても同様に構成される。前記した図６に示す構成を備えた駆動装置においても、図３〜図５に示した実施の形態と同様の作用効果を得ることができる。
【００４１】
図７は、この発明にかかる駆動装置の最も基本的な構成である第５の実施の形態を示したものであり、これは請求項６および請求項１７に示す発明において、特に（５）として示した直列接続構成に対応するものである。すなわち、第１の電位点Ｖ1 と、これよりも電位が低い第２の電位点Ｖ2 との間に、順に発光制御スイッチＳ1 、定電流源Ｉ1 、ＥＬ素子Ｅ1 が直列に接続された構成になされている。
【００４２】
そして、前記ＥＬ素子Ｅ1 は図１に示したいずれかのアイコンパターンを形成するものであり、ＥＬ素子Ｅ1 と並列に電流調整抵抗Ｒ1 が接続されて、この電流調整抵抗Ｒ1 の値を選択することで、ＥＬ素子Ｅ1 に供給する点灯駆動電流が調整されるように構成されている。なお、この図７は１つのアイコンパターンを点灯駆動させる構成を示したものであり、他のアイコンパターンに対しても同様に構成される。前記した図７に示す構成を備えた駆動装置においても、図３〜図６に示した実施の形態と同様の作用効果を得ることができる。
【００４３】
図８は、この発明にかかる駆動装置の最も基本的な構成である第６の実施の形態を示したものであり、これは請求項６および請求項１７に示す発明において、特に（６）として示した直列接続構成に対応するものである。すなわち、第１の電位点Ｖ1 と、これよりも電位が低い第２の電位点Ｖ2 との間に、順に定電流源Ｉ1 、発光制御スイッチＳ1 、ＥＬ素子Ｅ1 が直列に接続された構成になされている。
【００４４】
そして、前記ＥＬ素子Ｅ1 は図１に示したいずれかのアイコンパターンを形成するものであり、ＥＬ素子Ｅ1 と並列に電流調整抵抗Ｒ1 が接続されて、この電流調整抵抗Ｒ1 の値を選択することで、ＥＬ素子Ｅ1 に供給する点灯駆動電流が調整されるように構成されている。なお、この図８は１つのアイコンパターンを点灯駆動させる構成を示したものであり、他のアイコンパターンに対しても同様に構成される。前記した図８に示す構成を備えた駆動装置においても、図３〜図７に示した実施の形態と同様の作用効果を得ることができる。
【００４５】
次に図９は、この発明にかかる駆動装置の第７の実施の形態を示したものであり、これは請求項２および請求項１６に示す発明に対応するものである。そして、この図９に示す構成においても１つのアイコンパターンを点灯駆動させる例を示したものであり、他のアイコンパターンに対しても同様に構成される。この図９に示す構成によると、ＥＬ素子Ｅ1 のアノード側が、前記した第１の電位点Ｖ1 よりも電位の低い第３の電位点Ｖ3 （実施の形態においてはグランド電位）に切り換え接続されるように、前記ＥＬ素子Ｅ1 のアノード側に逆バイアス印加スイッチＳ2 を設けた構成にされている。
【００４６】
これは図３に示した構成に比較すると、逆バイアス印加スイッチＳ2 が追加され、逆バイアス印加スイッチＳ2 が図９に示すように第１の電位点Ｖ1 側に接続されている状態においては、図３と同一の回路構成になされる。したがって、図９に示した状態によると、すでに説明した図３に示す構成と同様の作用効果を得ることができる。
【００４７】
そして、表示パネルを発光駆動させる例えば１フレーム期間（もしくは１サブフレーム期間）において、各ＥＬ素子を全て消灯する全消灯期間が設けられ、この時に発光制御スイッチＳ1 はオフされ、逆バイアス印加スイッチＳ2 は第３の電位点Ｖ3 であるグランド電位側に接続されるように動作する。したがって、ＥＬ素子Ｅ1 のカソードには電流調整抵抗Ｒ1 を介して第１の電位点Ｖ1 による電位が印加され、ＥＬ素子Ｅ1 のアノードには逆バイアス印加スイッチＳ2 を介して第３の電位点Ｖ3 が印加される。これにより、アイコンとして機能するＥＬ素子Ｅ1 には逆バイアス電圧が印加される。
【００４８】
図９に示した実施の形態によると、すでに説明した図３に示した構成と同様の作用効果を得ることができると共に、前記した全消灯期間においてはアイコンとして機能するＥＬ素子Ｅ1 に対して逆バイアス電圧が印加される。これにより、ＥＬ素子Ｅ1 の発光寿命を延ばすことができる。
【００４９】
図１０は、この発明にかかる駆動装置の第８の実施の形態を示したものであり、これは同様に請求項２および請求項１６に示す発明に対応するものである。そして、この図１０に示す構成においても１つのアイコンパターンを点灯駆動させる例を示したものであり、他のアイコンパターンに対しても同様に構成される。この図１０に示した構成を、図４に示した構成と比較すると、逆バイアス印加スイッチＳ2 が追加され、この逆バイアス印加スイッチＳ2 が図１０に示すように第１の電位点Ｖ1 側に接続されている状態においては、図４と同一の回路構成になされる。
【００５０】
したがって、図１０に示した状態によると、すでに説明した図４に示す構成と同様の作用効果を得ることができる。そして、前記した全消灯期間においては、発光制御スイッチＳ1 はオフされ、逆バイアス印加スイッチＳ2 は第３の電位点Ｖ3 であるグランド電位側に接続されるように動作する。それ故、ＥＬ素子Ｅ1 のカソードには電流調整抵抗Ｒ1 を介して第１の電位点Ｖ1 による電位が印加され、ＥＬ素子Ｅ1 のアノードには逆バイアス印加スイッチＳ2 を介して第３の電位点の電位Ｖ3 が印加される。これにより、アイコンとして機能するＥＬ素子Ｅ1 には逆バイアス電圧が印加される。
【００５１】
図１０に示した実施の形態によると、すでに説明した図４に示した構成と同様の作用効果を得ることができると共に、全消灯期間においてはアイコンとして機能するＥＬ素子Ｅ1 に対して逆バイアス電圧が印加される。これにより、ＥＬ素子Ｅ1 の発光寿命を延ばすことができる。
【００５２】
図１１は、この発明にかかる駆動装置の第９の実施の形態を示したものであり、これは同様に請求項２および請求項１６に示す発明に対応するものである。そして、この図１１に示す構成においても１つのアイコンパターンを点灯駆動させる例を示したものであり、他のアイコンパターンに対しても同様に構成される。この図１１に示した構成を、図５に示した構成と比較すると、逆バイアス印加スイッチＳ2 が追加され、この逆バイアス印加スイッチＳ2 が図１１に示すように第１の電位点Ｖ1 側に接続されている状態においては、図５と同一の回路構成になされる。
【００５３】
したがって、図１１に示した状態によると、すでに説明した図５に示す構成と同様の作用効果を得ることができる。そして、前記した全消灯期間においては、発光制御スイッチＳ1 はオフされ、逆バイアス印加スイッチＳ2 は第３の電位点Ｖ3 であるグランド電位側に接続されるように動作する。それ故、ＥＬ素子Ｅ1 のカソードには定電流源Ｉ1 および電流調整抵抗Ｒ1 を介して第１の電位点Ｖ1 による電位が印加され、ＥＬ素子Ｅ1 のアノードには逆バイアス印加スイッチＳ2 を介して第３の電位点の電位Ｖ3 が印加される。これにより、アイコンとして機能するＥＬ素子Ｅ1 には逆バイアス電圧が印加される。
【００５４】
図１１に示した実施の形態によると、すでに説明した図５に示した構成と同様の作用効果を得ることができると共に、全消灯期間においてはアイコンとして機能するＥＬ素子Ｅ1 に対して逆バイアス電圧が印加される。これにより、ＥＬ素子Ｅ1 の発光寿命を延ばすことができる。
【００５５】
図１２は、この発明にかかる駆動装置の第１０の実施の形態を示したものであり、これは請求項７および請求項１８に示す発明に対応するものである。そして、この図１２に示す構成においても１つのアイコンパターンを点灯駆動させる例を示したものであり、他のアイコンパターンに対しても同様に構成される。この図１２に示す構成によると、ＥＬ素子Ｅ1 のカソード側が、前記した第２の電位点Ｖ2 よりも電位が高い第４の電位点Ｖ4 に切り換え接続されるように、前記ＥＬ素子Ｅ1 のカソード側に逆バイアス印加スイッチＳ2 を設けた構成にされている。
【００５６】
この図１２に示した構成を、図６に示した構成と比較すると、逆バイアス印加スイッチＳ2 が追加され、この逆バイアス印加スイッチＳ2 が図１２に示すように定電流源Ｉ1 側に接続されている状態においては、図６と同一の回路構成になされる。したがって、図１２に示した状態によると、すでに説明した図６に示す構成と同様の作用効果を得ることができる。
【００５７】
そして、前記した全消灯期間においては、発光制御スイッチＳ1 はオフされ、逆バイアス印加スイッチＳ2 は第４の電位点Ｖ4 側に接続されるように動作する。それ故、ＥＬ素子Ｅ1 のアノードには電流調整抵抗Ｒ1 および定電流源Ｉ1 を介して第２の電位点Ｖ2 による電位が印加され、ＥＬ素子Ｅ1 のカソードには逆バイアス印加スイッチＳ2 を介して第４の電位点の電位Ｖ4 が印加される。これにより、アイコンとして機能するＥＬ素子Ｅ1 には逆バイアス電圧が印加される。
【００５８】
図１２に示した実施の形態によると、すでに説明した図６に示した構成と同様の作用効果を得ることができると共に、全消灯期間においてはアイコンとして機能するＥＬ素子Ｅ1 に対して逆バイアス電圧が印加される。これにより、ＥＬ素子Ｅ1 の発光寿命を延ばすことができる。
【００５９】
図１３は、この発明にかかる駆動装置の第１１の実施の形態を示したものであり、これは同じく請求項７および請求項１８に示す発明に対応するものである。そして、この図１３に示す構成においても１つのアイコンパターンを点灯駆動させる例を示したものであり、他のアイコンパターンに対しても同様に構成される。この図１３に示した構成を、図７に示した構成と比較すると、逆バイアス印加スイッチＳ2 が追加され、この逆バイアス印加スイッチＳ2 が図１３に示すように第２の電位点Ｖ2 に接続されている状態においては、図７と同一の回路構成になされる。したがって、図１３に示した状態によると、すでに説明した図７に示す構成と同様の作用効果を得ることができる。
【００６０】
そして、前記した全消灯期間においては、発光制御スイッチＳ1 はオフされ、逆バイアス印加スイッチＳ2 は第４の電位点Ｖ4 側に接続されるように動作する。それ故、ＥＬ素子Ｅ1 のアノードには電流調整抵抗Ｒ1 を介して第２の電位点Ｖ2 による電位が印加され、ＥＬ素子Ｅ1 のカソードには逆バイアス印加スイッチＳ2 を介して第４の電位点の電位Ｖ4 が印加される。これにより、アイコンとして機能するＥＬ素子Ｅ1 には逆バイアス電圧が印加される。
【００６１】
図１３に示した実施の形態によると、すでに説明した図７に示した構成と同様の作用効果を得ることができると共に、全消灯期間においてはアイコンとして機能するＥＬ素子Ｅ1 に対して逆バイアス電圧が印加される。これにより、ＥＬ素子Ｅ1 の発光寿命を延ばすことができる。
【００６２】
図１４は、この発明にかかる駆動装置の第１２の実施の形態を示したものであり、これは同じく請求項７および請求項１８に示す発明に対応するものである。そして、この図１４に示す構成においても１つのアイコンパターンを点灯駆動させる例を示したものであり、他のアイコンパターンに対しても同様に構成される。この図１４に示した構成を、図８に示した構成と比較すると、逆バイアス印加スイッチＳ2 が追加され、この逆バイアス印加スイッチＳ2 が図１４に示すように第２の電位点Ｖ2 に接続されている状態においては、図８と同一の回路構成になされる。したがって、図１４に示した状態によると、すでに説明した図８に示す構成と同様の作用効果を得ることができる。
【００６３】
そして、前記した全消灯期間においては、発光制御スイッチＳ1 はオフされ、逆バイアス印加スイッチＳ2 は第４の電位点Ｖ4 側に接続されるように動作する。それ故、ＥＬ素子Ｅ1 のアノードには電流調整抵抗Ｒ1 を介して第２の電位点Ｖ2 による電位が印加され、ＥＬ素子Ｅ1 のカソードには逆バイアス印加スイッチＳ2 を介して第４の電位点の電位Ｖ4 が印加される。これにより、アイコンとして機能するＥＬ素子Ｅ1 には逆バイアス電圧が印加される。
【００６４】
図１４に示した実施の形態によると、すでに説明した図８に示した構成と同様の作用効果を得ることができると共に、全消灯期間においてはアイコンとして機能するＥＬ素子Ｅ1 に対して逆バイアス電圧が印加される。これにより、ＥＬ素子Ｅ1 の発光寿命を延ばすことができる。
【００６５】
次に図１５は、この発明にかかる駆動装置の第１３の実施の形態を示したものであり、これは請求項３および請求項４に示す発明に対応するものである。そして、この図１５に示す構成においても１つのアイコンパターンを点灯駆動させる構成を示したものであり、他のアイコンパターンに対しても同様に構成される。
【００６６】
この図１５に示す構成は、基本的には図１１に示した構成と同様であり、前記した逆バイアス電圧の印加に用いられる第３の電位点Ｖ3 における電位は、前記第１の電位点Ｖ1 と第２の電位点Ｖ2 との間に直列接続された電流供給抵抗Ｒ2 とツェナダイオードＺD の接続点において得るように構成されている。
【００６７】
なお、この図１５に示す実施の形態においては第２の電位点Ｖ2 はグランド電位になされており、これによりツェナダイオードＺD によるツェナ電圧に対応する電位が、第３の電位Ｖ3 としてツェナダイオードのカソードに生成される。すなわち、第３の電位点における電位Ｖ3 は、前記第１の電位点Ｖ1 における電位と、第２の電位点Ｖ2 における電位から生成されるように構成されている。
【００６８】
そして、前記した全消灯期間においては、発光制御スイッチＳ1 はオフされ、逆バイアス印加スイッチＳ2 は第３の電位点Ｖ3 側に切り換えられる。この結果、ＥＬ素子Ｅ1 のカソードには定電流源Ｉ1 と電流調整抵抗Ｒ1 を介して第１の電位点Ｖ1 による電位が印加され、ＥＬ素子Ｅ1 のアノードには逆バイアス印加スイッチＳ2 を介して第３の電位点による電位Ｖ3 が印加される。これにより、アイコンとして機能するＥＬ素子Ｅ1 には逆バイアス電圧が印加される。
【００６９】
したがって、図１５に示す実施の形態においても、図１１に示した構成と同様の作用効果を得ることができる。加えて、図１５に示す実施の形態によると、ツェナダイオードＺD におけるツェナ電圧を選択して利用することにより、ＥＬ素子Ｅ1 に加わる逆バイアス電圧値を調整することができる。
【００７０】
図１６は、この発明にかかる駆動装置の第１４の実施の形態を示したものであり、これは同じく請求項３および請求項４に示す発明に対応するものである。そして、この図１６に示す構成においても１つのアイコンパターンを点灯駆動させる構成を示したものであり、他のアイコンパターンに対しても同様に構成される。
【００７１】
この図１６に示す構成は、基本的には図９に示した構成と同様であり、前記した逆バイアス電圧の印加に用いられる第３の電位点Ｖ3 における電位は、前記第１の電位点Ｖ1 と第２の電位点Ｖ2 との間に直列接続された抵抗Ｒ2 とツェナダイオードＺD の接続点において得るように構成されている。
【００７２】
なお、この図１６に示す実施の形態においても第２の電位点Ｖ2 はグランド電位になされており、これによりツェナダイオードＺD によるツェナ電圧に対応する電位が、第３の電位Ｖ3 としてツェナダイオードのカソードに生成される。したがって、第３の電位点における電位Ｖ3 も、同様に前記第１の電位点Ｖ1 における電位と、第２の電位点Ｖ2 における電位から生成されるように構成されている。
【００７３】
この図８に示す実施の形態においては、逆バイアス印加スイッチとして切り換え型のスイッチＳ2 に代えて、択一的にオンされる一対のアナログスイッチＳ201 ，Ｓ202 により構成されている。この一対のアナログスイッチＳ201 ，Ｓ202 の構成においても、すでに説明した切り換え型の逆バイアス印加スイッチＳ2 と同一の機能を果たす。
【００７４】
したがって、図１６に示す実施の形態においても図９に示した構成と同様の作用効果を得ることができる。加えて、図１６に示す実施の形態によると、図１５に示した実施の形態と同様にツェナダイオードＺD におけるツェナ電圧を選択して利用することにより、ＥＬ素子Ｅ1 に加わる逆バイアス電圧値を調整することができる。
【００７５】
図１７は、この発明にかかる駆動装置の第１５の実施の形態を示したものであり、これは請求項５に示す発明に対応するものである。この図１７に示す構成においても１つのアイコンパターンを点灯駆動させる構成を示したものであり、他のアイコンパターンに対しても同様に構成される。
【００７６】
この図１７に示す構成は、前記した図１６に示す構成において、ＥＬ素子Ｅ1 に対して逆バイアス電圧を加えるための第３の電位点における電位Ｖ3 として、第２の電位点Ｖ2 であるグランド電位を利用した構成にされている。すなわち、この実施の形態においては第３の電位点の電位Ｖ3 と第２の電位点の電位Ｖ2 とが等しい関係になされている。
【００７７】
この図１７に示した構成においても、発光制御スイッチＳ1 および逆バイアス印加スイッチを構成するアナログスイッチＳ201 を図に示すようにオンさせることで、アイコンを構成するＥＬ素子Ｅ1 を点灯させることができる。また、発光制御スイッチＳ1 およびアナログスイッチＳ201 をオフにして、アナログスイッチＳ202 をオンさせることにより、ＥＬ素子Ｅ1 に逆バイアス電圧を印加することができる。この図１７に示した構成によると、図１６に示した構成に比較して回路構成を簡素化させることができ、図１６に示した構成とほぼ同様の作用効果を得ることができる。
【００７８】
次に図１８は、この発明にかかる駆動装置の第１６の実施の形態を示したものであり、これは請求項８および請求項９に示す発明に対応するものである。そして、この図１８に示す構成においても１つのアイコンパターンを点灯駆動させる構成を示したものであり、他のアイコンパターンに対しても同様に構成される。
【００７９】
この図１８に示す構成は、基本的には図１４に示した構成と同様であり、前記した逆バイアス電圧の印加に用いられる第４の電位点Ｖ4 における電位は、前記第１の電位点Ｖ1 と第２の電位点Ｖ2 との間に直列接続された電流供給抵抗Ｒ2 とツェナダイオードＺD の接続点において得るように構成されている。
【００８０】
なお、この図１８に示す実施の形態においては第２の電位点Ｖ2 はグランド電位になされており、これによりツェナダイオードＺD によるツェナ電圧に対応する電位が、第４の電位Ｖ4 としてツェナダイオードのカソードに生成される。すなわち、第４の電位点における電位Ｖ4 は、前記第１の電位点Ｖ1 における電位と、第２の電位点Ｖ2 における電位から生成されるように構成されている。
【００８１】
そして、前記した全消灯期間においては、発光制御スイッチＳ1 はオフされ、逆バイアス印加スイッチＳ2 は第４の電位点Ｖ4 側に切り換えられる。この結果、ＥＬ素子Ｅ1 のアノードには電流調整抵抗Ｒ1 を介して第２の電位点Ｖ2 による電位が印加され、ＥＬ素子Ｅ1 のカソードには逆バイアス印加スイッチＳ2 を介して第４の電位点による電位Ｖ4 が印加される。これにより、アイコンとして機能するＥＬ素子Ｅ1 には逆バイアス電圧が印加される。
【００８２】
したがって、図１８に示す実施の形態においても、図１４に示した構成と同様の作用効果を得ることができる。加えて、図１８に示す実施の形態によると、ツェナダイオードＺD におけるツェナ電圧を選択して利用することにより、ＥＬ素子Ｅ1 に加わる逆バイアス電圧値を調整することができる。
【００８３】
図１９は、この発明にかかる駆動装置の第１７の実施の形態を示したものであり、これは請求項１０に示す発明に対応するものである。この図１９に示す構成においても１つのアイコンパターンを点灯駆動させる構成を示したものであり、他のアイコンパターンに対しても同様に構成される。
【００８４】
この図１９に示す構成は、前記した図１８に示す構成において、ＥＬ素子Ｅ1 に対して逆バイアス電圧を加えるための第４の電位点における電位Ｖ4 として、第１の電位点Ｖ1 を利用した構成にされている。すなわち、この実施の形態においては第４の電位点の電位Ｖ4 と第１の電位点の電位Ｖ1 とが等しい関係になされている。
【００８５】
この図１９に示した構成においても、発光制御スイッチＳ1 をオンさせると共に、逆バイアス印加スイッチＳ2 を図に示すように第２の電位点Ｖ2 側に接続させることで、アイコンを構成するＥＬ素子Ｅ1 を点灯させることができる。また、発光制御スイッチＳ1 をオフにして、逆バイアス印加スイッチＳ2 を第４の電位点Ｖ4 、すなわち第１の電位点Ｖ1 側に接続することで、ＥＬ素子Ｅ1 に逆バイアス電圧を印加することができる。この図１９に示した構成によると、図１８に示した構成に比較して回路構成を簡素化させることができ、図１４に示した構成とほぼ同様の作用効果を得ることができる。
【００８６】
図２０は、この発明にかかる駆動装置の第１８の実施の形態を示したものであり、これは請求項１２に示す発明に対応するものである。この図２０に示す実施の形態においては互いに発光面積もしくは発光色が異なるアイコンを構成する複数のＥＬ素子Ｅ1 ，Ｅ2 が表示パネル上に配列されている場合において好適に利用される。
【００８７】
すでに説明したとおり、発光面積もしくは発光色が異なるＥＬ素子においては、それぞれを適正な発光輝度に制御するには、それぞれのＥＬ素子Ｅ1 ，Ｅ2 に供給される駆動電流が異なる。そこで、図２０に示す実施の形態においては、ＥＬ素子Ｅ1 ，Ｅ2 の点灯および消灯動作に対応して、ＥＬ素子Ｅ1 ，Ｅ2 に並列に接続される電流調整抵抗Ｒ11，Ｒ12の接続の組み合わせを変更することができる抵抗値切り換えスイッチＳ31が備えられている。
【００８８】
なお、この実施の形態においては、抵抗値切り換えスイッチＳ31の開閉動作にしたがって、ＥＬ素子Ｅ1 ，Ｅ2 に対して電流調整抵抗Ｒ12のみが接続される状態、およびＥＬ素子Ｅ1 ，Ｅ2 に対して電流調整抵抗Ｒ11，Ｒ12の並列回路が接続される状態を選択することができる。この実施の形態においても、前記した全消灯状態において、逆バイアス印加スイッチＳ21，Ｓ22を第３の電位点Ｖ3 （グランド）側に接続することで、ＥＬ素子Ｅ1 ，Ｅ2 に対して逆バイアス電圧を印加させることができる。したがって、図２０に示した構成においても、すでに説明した図９〜図１９に示した構成とほぼ同様の作用効果を得ることができる。
【００８９】
図２１は、この発明にかかる駆動装置の第１９の実施の形態を示したものであり、これも請求項１２に示す発明に対応するものである。この図２１に示す実施の形態においても互いに発光面積もしくは発光色が異なるアイコンを構成する複数のＥＬ素子Ｅ1 ，Ｅ2 が表示パネル上に配列されている場合において好適に利用される。
【００９０】
この図２１に示す構成における前記図２０に示した構成との相違点は、定電流源Ｉ1 が第１の電位点Ｖ1 側に配置されていること、電流調整抵抗Ｒ13〜Ｒ15が、２つの抵抗値切り換えスイッチＳ32，Ｓ33の組み合わせにより直列、もしくは直並列状態に切り換え可能になされていること、さらにＥＬ素子Ｅ1 ，Ｅ2 に対して逆バイアス電圧を印加する第３の電位点Ｖ3 が、図１５および図１６に示した例と同様に抵抗Ｒ2 とツェナダイオードＺD によって生成するようにしていることである。この図２１に示す構成においても、基本的な作用効果は図２０に示した実施の形態と同様である。
【００９１】
図２２は、この発明にかかる駆動装置の第２０の実施の形態を示したものであり、これは請求項１３に示す発明に対応するものである。この図２０に示す実施の形態においてはすでに説明した図１７に示す実施の形態に対して、さらに複数のＥＬ素子の点灯駆動回路を並列に接続した構成にされている。なお、図２２においては、紙面の都合で並列に接続される駆動回路の数が限定されているが、これはさらに多くの駆動回路を接続することができる。
【００９２】
この構成によると、発光制御スイッチＳ11〜Ｓ14のいずれかをオン動作させることにより、この発光制御スイッチに対応したアイコンを構成するＥＬ素子Ｅ1 〜Ｅ4 を点灯させることができる。この場合、各アイコン（ＥＬ素子Ｅ1 〜Ｅ4 ）において、発光面積もしくは発光色が互い異なる場合においては、それに対応して電流調整抵抗Ｒ101 〜Ｒ104 の値を適宜選択することで、各ＥＬ素子Ｅ1 〜Ｅ4 の発光輝度を適正な状態に設定することができる。
【００９３】
図２２に示す実施の形態によると、全消灯期間においては発光制御スイッチＳ11〜Ｓ14およびアナログスイッチＳ201 がオフになされ、アナログスイッチＳ202 がオンになされる。これにより全てのＥＬ素子Ｅ1 〜Ｅ4 のアノード側はグランド電位になされ、全てのＥＬ素子Ｅ1 〜Ｅ4 に対して逆バイアス電圧を印加させることができる。
【００９４】
以上説明した各実施の形態においては、発光素子として有機ＥＬ素子を用いているが、これはダイオード特性を有する他の発光素子を利用することも可能である。そして、以上説明したこの発明にかかる発光素子の駆動装置は、例えば携帯用電話機や携帯型情報端末機（ＰＤＡ）、もしくはパーソナルコンピュータ等を含む電子機器の表示装置に好適に採用することができ、このような電子機器に採用した場合においても、前記した作用効果をそのまま享受することができる。
【図面の簡単な説明】
【００９５】
【図１】アイコンパターンを形成した表示パネルの例とこれらアイコンパターンの各々に発光駆動電力を供給するドライバＩＣの機能を説明する模式図である。
【図２】各アイコンを点灯駆動するに必要な電流値を得るようにした例を示す回路構成図である。
【図３】この発明にかかる駆動装置の第１の実施の形態を示した回路構成図ある。
【図４】同じく第２の実施の形態を示した回路構成図ある。
【図５】同じく第３の実施の形態を示した回路構成図ある。
【図６】同じく第４の実施の形態を示した回路構成図ある。
【図７】同じく第５の実施の形態を示した回路構成図ある。
【図８】同じく第６の実施の形態を示した回路構成図ある。
【図９】同じく第７の実施の形態を示した回路構成図ある。
【図１０】同じく第８の実施の形態を示した回路構成図ある。
【図１１】同じく第９の実施の形態を示した回路構成図ある。
【図１２】同じく第１０の実施の形態を示した回路構成図ある。
【図１３】同じく第１１の実施の形態を示した回路構成図ある。
【図１４】同じく第１２の実施の形態を示した回路構成図ある。
【図１５】同じく第１３の実施の形態を示した回路構成図ある。
【図１６】同じく第１４の実施の形態を示した回路構成図ある。
【図１７】同じく第１５の実施の形態を示した回路構成図ある。
【図１８】同じく第１６の実施の形態を示した回路構成図ある。
【図１９】同じく第１７の実施の形態を示した回路構成図ある。
【図２０】同じく第１８の実施の形態を示した回路構成図ある。
【図２１】同じく第１９の実施の形態を示した回路構成図ある。
【図２２】同じく第２０の実施の形態を示した回路構成図ある。
【符号の説明】
【００９６】
１                                表示パネル
２                                フレキシブル回路基板
３                                ドライバＩＣ
Ｅ1 〜Ｅ4                         発光素子（有機ＥＬ素子＝アイコン）
Ｉ1 〜Ｉ4                         定電流源
Ｒ1 ，Ｒ11〜Ｒ15，Ｒ101 〜Ｒ104   電流調整抵抗
Ｒ2                               電流供給抵抗
Ｓ1 ，Ｓ11〜Ｓ14                  発光制御スイッチ
Ｓ2 ，Ｓ21，Ｓ22，Ｓ201 ，Ｓ202   逆バイアス印加スイッチ
Ｓ31〜Ｓ33                        抵抗値切り換えスイッチ
Ｖ1                               第１の電位点
Ｖ2                               第２の電位点
Ｖ3                               第３の電位点
Ｖ4                               第４の電位点
ＺD                               ツェナダイオード
【図１】
2005266397.tif 000003
【図２】
2005266397.tif 000004
【図３】
2005266397.tif 000005
【図４】
2005266397.tif 000006
【図５】
2005266397.tif 000007
【図６】
2005266397.tif 000008
【図７】
2005266397.tif 000009
【図８】
2005266397.tif 000010
【図９】
2005266397.tif 000011
【図１０】
2005266397.tif 000012
【図１１】
2005266397.tif 000013
【図１２】
2005266397.tif 000014
【図１３】
2005266397.tif 000015
【図１４】
2005266397.tif 000016
【図１５】
2005266397.tif 000017
【図１６】
2005266397.tif 000018
【図１７】
2005266397.tif 000019
【図１８】
2005266397.tif 000020
【図１９】
2005266397.tif 000021
【図２０】
2005266397.tif 000022
【図２１】
2005266397.tif 000023
【図２２】
2005266397.tif 000024